(57)【要約】【課題】従来から腰部又は脊髄背面部を身体に密着させて治療する固定装置はなかった。更にマイナス電位を負荷する電位治療装置や薬草サックにもぐさの薬草桧の香料等を混入した薬草治療装置は今だみることはない。【解決手段】本考案の装置は、電位治療・温熱治療・薬草治療が可能な構成として、網目状面を設け薬草エキスが網目から放出できるようにしたことである。更にもぐさの香料材桧等森林の香料材を薬草サックに内設し、発熱マットでエキスを放出させる構成にしたことも画期的といえる。【選択図】図２
0003129740.tif 000002
【実用新案登録請求の範囲】
【請求項１】
本装置は、身体の前面又は背面に位置する保温装置の発熱マット又は電位マットの構成において、マット内部に断熱材と、ニクロム線・線面発熱体・カーボン面発熱体のいずれかを一体とした熱源を内設し、発熱温度をこもり熱も含め３０℃〜５０℃内で制御する温度制御装置、５０℃〜６０℃で作動するサーモスタットと、７０℃で電源を遮断する温度ヒューズを内設し、発熱体周囲全面を樹脂で絶縁、防水加工した発熱マット又は電位マットとし、更に安全装置としてコントローラーには電位と温熱の切替装置、温度制御装置、と３０分又は６０分で自動的に電源を遮断するタイマー装置が発熱マットと一体に具備してなる薬草治療と電位治療も可能な可撓性温熱治療装置。
【請求項２】
身体の腰部から腹部に巻く形の固定式ベルトにおいて、ベルト中央部は片面布状で反面網目状にしチャック部を除き周囲を縫製し構成され、前記請求項１の発熱マットは長方面の接続一端部から長さ方向にチャック方式で縫製される、更に帯状ベルトの両先端は両側面から面ファスナーで固定する構成にしてなる薬草治療と電位治療が可能な可撓性腰部温熱治療装置。
【請求項３】
身体の背中面に接触する背当て板状部材の肩部に、伸縮性を有する左右一体の肩掛けベルトが具備され、その両先端は胴部背当て板状部材に連結され、該胴部背当て板状部材の身体接触面には、布状面と網目状面が両面使用可能な構成で板状部材の両側面部に具備され、その中間部に前記請求項１の発熱マットが長方に挿入できる構成でチャックが縫製され、更に胴部両側面から腹部を固定する帯状ベルトの先端両面を面ファスナーで固定する構成にしてなる薬草治療、電位治療が可能な可撓性背面温熱治療装置。
【請求項４】
前記請求項２又は請求項３の網目状面に接し挿入する薬草サックには、もぐさ等の薬草の外に、特殊香料を発生する草木加工品、神仏祈願の精神安定効果品が挿入され、前記請求項１の発熱マットで加熱発生させてなる精神安定治療、薬草治療、電位治療も可能な可撓性温熱治療装置。
【請求項５】
前記請求項２又は請求項３の構成において、網目状面に薬草サックを発熱マットで放射し薬草治療、電位治療、温熱治療を可能にすると共に、反面布面に発熱マットを放射し電位治療、温熱治療を可能にした構成は、肩掛けベルトの反転使用と、帯状バンドの先端両面を面ファスナーで固定し、両面使用を可能にした構造を特長とする薬草治療、電位治療、温熱治療が可能な可撓性温熱治療装置。
【考案の詳細な説明】
【技術分野】
【０００１】    本考案は、特にカーボン面発熱体から放射する浸透性の高い８μ〜１５μの波長を有する遠赤外線電磁波熱を、放射する温熱治療マット又は薬草サックを透しエキスを身体に浸透させる薬草治療マット、又は電位を負荷する電位治療マットに適応させる装置として、特殊背筋矯正具または特殊腹筋調節具に簡単に取り付け、取り外し可能な構成にしてなる治療装置に関する。
【背景技術】
【０００２】    従来から、もぐさを身体の壷にあて直接もぐさに火をつけるお灸治療、又は温泉による温熱方法等はある。然し、本考案のように一つの商品で温熱療法、電位療法、薬草療法、精神安定法が自由にコントローラーを操作するだけで治療可能な装置は未だにない。
【考案の開示】
【考案が解決しょうとする課題】
【０００３】    この装置の治療は肩凝り、腰痛、冷え性、神経痛等血行不順の方に適する。効果のある治療方法は、常に一定の時間毎日治療することである。薬草に香料を交ぜ治療環境を整えることも重要な課題である。更に前記「薬草香料サック」を高野山、成田山、等で祈願した商品にし使用することで精神安定治療法となり効果は高い。
【０００４】    この種の物理療法は湿度の高い日又は二日酔いなどは、空気中や血液内でのブラスイオン（酸性）が多くなる。この時電位治療することでマイナスイオン（弱アルカリ）を増幅させ健康体である血液のペーハー７．２を保つよう治療することができる。
又夜寝付きが悪い方は、香料付き薬草と温熱治療による快適保温で安眠することが有効である。
【０００５】    本考案の物理療法は、健康体の方の勤務疲労、またはゴルフ等の運動前後の物理治療は実績調査の結果１００人中７０％の方に効果があった。従って、この種の治療装置は厚生労働省からも家庭用医療機器として承認されている。
【課題を解決するための手段】
【０００６】    本考案の構成を具体的に示すと、
本装置は、身体の前面又は背面に位置する保温装置の発熱マット又は電位マットの構成において、マット内部に断熱材と、ニクロム線・線面発熱体・カーボン面発熱体のいずれかを一体にした熱源を内設し、発熱温度をこもり熱も含め３０℃〜５０℃内で制御する温度制御装置、５０℃〜６０℃で作動するサーモスタットと、７０℃で電源を遮断する温度ヒューズを内設し、発熱体周囲前面を樹脂で絶縁、防水加工した発熱マット又は電位マットとし、更に安全装置としてコントローラーには電位と温熱の切替装置、温度制御装置、と３０分又は６０分で自動的に電源を遮断するタイマー装置が発熱マットと一体に具備してなる薬草治療と電位治療も可能な可撓性温熱治療装置である。
【０００７】    身体の腰部から腹部に巻く形の固定式ベルトにおいて、ベルト中央部は片面布状で反面網目状に長方形にチャック部を除き周囲を縫製し構成され、前記請求項１の発熱マットは長方面の接続一端部から長さ方向にチャック方式で縫製される、更に帯状ベルトの両先端は両側面から面ファスナーで固定する構成にしてなる薬草治療と電位治療が可能な可撓性腰部温熱治療装置である。
【０００８】    身体の背中面に接触する背当て板状部材の肩部に、伸縮性を有する左右一体の肩掛けベルトが具備され、その両先端は胴部背当て板状部材に連結され、該胴部背当て板状部材の身体接触面には、布状面と網目状面が両面使用可能な構成で板状部材の両側面に具備され、その中間部に前記請求項１の発熱マットが長方に挿入できる構成でチャックが縫製され、更に胴部両側面から腹部を固定する帯状ベルトの先端両面を面ファスナーで固定する構成にしてなる薬草治療、電位治療が可能な可撓性背面温熱治療装置である。
【０００９】    前記請求項２又は請求項３の網目状面に接し挿入する薬草サックには、もぐさ等の薬草の外に、特殊香料を発生する草木加工品、神仏祈願の精神安定効果品が挿入され、前記請求項１の発熱マットで加熱発生させてなる薬草治療、電位治療も可能な可撓性温熱治療装置である。
【００１０】    前記請求項２又は請求項３の構成において、網目状面に薬草サックを発熱マットで放射してなる薬草治療、電位治療、温熱治療を可能にすると共に、反面布面に発熱マットを放射し電位治療、温熱治療を可能にした構成は、肩掛けベルトの反転使用と、帯状バンドの先端両面を面ファスナーで固定し、両面使用を可能にした構造を特長とする薬草治療、電位治療、温熱治療が可能な可撓性温熱治療装置である。
【考案の効果】
【００１１】    本考案の発熱マットからは、８μ〜１５μの波長を有する電磁波熱を放射し、身体の皮膚下５ｃｍの深さまで光線熱は透過します。深く広く熱分散するため「まろやか」な温度で低温火傷はおきません。次ぎに電位治療は、血液中のマイナスイオンを増幅し酸性体質を弱アルカリ体質に変化します。次ぎにもぐさ、びわ、桧等の薬草木を粉末にしたものに、更に高価な香料を混入した薬草サックを高野山、成田山等で祈祷したものにし、発熱マットで保温すると、薬草効果と共に香料と神仏による精神安定効果もあります。
【実施例１】
【００１２】    例えば図１は、腹筋調節具Ｘの斜面図である。この構成は布地面Ａと網目状面Ｂとが周囲を縫製され設けられている、前記Ａ・Ｂの長方形の一部に発熱マットＣが挿入できる収納部Ｄがチャック止Ｅにて設けられている。
胴部を固定する腹筋調節具Ｘの両先端はａ・ｂの面ファスナーで取り付け、取り外しが出来るように具備されている。この装置で薬草治療をする場合は、網目状面Ｂに薬草サックを取り付けその裏面から発熱マットＣで照射させる。
発熱マットＣには、電源コードｃ、コントローラーｄ、差し込みプラグｅが具備されている。【００１３】    図２は身体の背面から背負う形の背筋矯正具Ｙの立面図である。背当て板状部材の肩部から左右一体の肩掛けベルトＦ・Ｆが設けられ、更に伸縮性のゴムベルトＦａ・Ｆｂが設けられる。胴部に固定する胴部固定ベルトＧ・Ｇは、Ｇａ・Ｇｂの伸縮性ゴムベルトとその先端の両側面は面ファスナーによって固定される。
板状部材の表面は布地Ａと裏面には網目状Ｂが設けられる、発熱マットＣは裏面の網目状Ｂの長方側部にチャックＥにおいて出し入れ出来る。
発熱マットＣには、電源コードｃ、コントローラーｄ、差し込みプラグｃが具備されている。
【産業上の利用可能性】
【００１４】    本考案は、肩凝り、腰痛、疲労回復等の治療には最適である。スポーツ前後の保温通勤前後の治療、農作業後の治療、針灸マッサージ店、に適応することが出来る。
【図面の簡単な説明】
【００１５】
【図１】腰部治療装置の斜面図である。
【図２】背筋矯正具の立面図である。
【符号の説明】
【００１６】    Ｘ…腰部治療装置
Ｙ…脊髄背面部治療装置
Ａ…布地面
Ｂ…網目状面
Ｃ…発熱マット
Ｄ…長方形収納部
Ｅ…チャック
Ｆ…肩掛けベルト
ＦａＦｂ…ゴム状ベルト
Ｇ…胴部固定ベルト
ＧａＧｂ…ゴム状ベルト
ａ…面ファスナー
ｂ…面ファスナー
ｃ…電源コード
ｄ…コントローラー
ｅ…電源プラグ
【図１】
0003129740.tif 000003
【図２】
0003129740.tif 000004
【手続補正書】
【提出日】平成18年11月24日(2006.11.24)
【手続補正１】
【補正対象書類名】実用新案登録請求の範囲
【補正対象項目名】全文
【補正方法】変更
【補正の内容】
【実用新案登録請求の範囲】
【請求項１】
本装置は、身体の前面又は背面に位置する保温装置の発熱マット又は電位マットの構成において、マット内部に断熱材と、ニクロム線・線面発熱体・カーボン面発熱体のいずれかを一体とした熱源を内設し、発熱温度をこもり熱も含め３０℃〜５０℃内で制御する温度制御装置、５０℃〜６０℃で作動するサーモスタットと、７０℃で電源を遮断する温度ヒューズを内設し、発熱体周囲全面を樹脂で絶縁、防水加工した発熱マット又は電位マットとし、更に安全装置としてコントローラーには電位と温熱の切替装置、温度制御装置、と３０分又は６０分で自動的に電源を遮断するタイマー装置が発熱マットと一体に具備してなる薬草治療と電位治療も可能な可撓性温熱治療装置。
【請求項２】
身体の腰部から腹部に巻く形の固定式ベルトにおいて、ベルト中央部は片面布状で反面網目状にしチャック部を除き周囲を縫製し構成され、前記請求項１の発熱マットは長方向の接続一端部から長さ方向にチャック方式で縫製される、更に帯状ベルトの両先端は両側面から面ファスナーで固定する構成にしてなる薬草治療と電位治療が可能な可撓性腰部温熱治療装置。
【請求項３】
身体の背中面に接触する背当て板状部材の肩部に、伸縮性を有する左右一体の肩掛けベルトが具備され、その両先端は胴部背当て板状部材に連結され、該胴部背当て板状部材の身体接触面には、布状面と網目状面が両面使用可能な構成で板状部材の両側面部に具備され、その中間部に前記請求項１の発熱マットが長方に挿入できる構成でチャックが縫製され、更に胴部両側面から腹部を固定する帯状ベルトの先端両面を面ファスナーで固定する構成にしてなる薬草治療、電位治療が可能な可撓性背面温熱治療装置。
【請求項４】
前記請求項２又は請求項３の網目状面に接し挿入する薬草サックには、もぐさ等の薬草の外に、特殊香料を発生する草木加工品、神仏祈願の精神安定効果品が挿入され、前記請求項１の発熱マットで加熱発生させてなる精神安定治療、薬草治療、電位治療も可能な可撓性温熱治療装置。
【請求項５】
前記請求項２又は請求項３の構成において、網目状面の薬草サックを発熱マットで放射し薬草治療、電位治療、温熱治療を可能にすると共に、反面布面に発熱マットを放射し電位治療、温熱治療を可能にした構成は、肩掛けベルトの反転使用と、帯状バンドの先端両面を面ファスナーで固定し、両面使用を可能にした構造を特長とする薬草治療、電位治療、温熱治療が可能な可撓性温熱治療装置。